(57)【要約】      （修正有）【課題】撮像装置から被写体までの距離が変化しても被写体を照明でき、撮像画像の劣化を抑制する撮像装置を提供する。【解決手段】撮像素子２６とズームレンズ２２と被写体に向かって照明する第１の照明部（ズーム照明部２３）とを備える撮像ユニットと、撮像ユニットが設置された設置台と、設置台とともに撮像ユニットを包囲するドームカバーと、設置台の周端部に配設され、設置台の外側に向かって照明する第２の照明部（ワイド照明部５１Ａ〜Ｆ）と、レンズの画角を指示する指示情報を取得する情報取得部と、指示情報に基づいて、第１の照明部２３による照射角を制御する照明制御部５８と、を備える。照明制御部は、指示情報に係るレンズの画角が所定角度より大きい場合、第１の照明部を消灯し、第２の照明部を点灯するよう制御し、指示情報に係るレンズの画角が所定角度以下の場合、第１の照明部を点灯するよう制御する。【選択図】図３
2016066947.tif 000002
【特許請求の範囲】
【請求項１】
画像を撮像する撮像素子と、前記撮像素子の撮像面に被写体の光学像を結像させるレンズと、前記被写体に向かって照明する第１の照明部と、を備える撮像ユニットと、
前記撮像ユニットが設置された設置台と、
前記設置台とともに、前記撮像ユニットを包囲するドームカバーと、
前記設置台の周端部に配設され、前記設置台の外側に向かって照明する第２の照明部と、
前記レンズの画角を指示する指示情報を取得する情報取得部と、
前記指示情報に基づいて、前記第１の照明部による照射角を制御する照明制御部と、
を備え、
前記照明制御部は、前記指示情報に係る前記レンズの画角が所定角度より大きい場合、前記第１の照明部を消灯し、前記第２の照明部を点灯するよう制御し、前記指示情報に係る前記レンズの画角が前記所定角度以下の場合、前記第１の照明部を点灯するよう制御する、撮像装置。
【請求項２】
請求項１に記載の撮像装置であって、更に、
前記撮像ユニットを回転させる回転機構を備え、
前記第２の照明部は、前記設置台の周端部に沿って放射状に複数配設され、
前記照明制御部は、前記指示情報に係る前記レンズの画角が所定角度より大きい場合、前記回転機構の回転角に基づいて、複数の前記第２の照明部の一部を点灯し、前記第２の照明部の他の一部を消灯するよう制御する、撮像装置。
【請求項３】
請求項１または２に記載の撮像装置であって、
前記所定角度は、前記レンズの画角が前記所定角度より大きい場合、前記第１の照明部により出射されて前記ドームカバーにより反射された光が、前記レンズに入射される角度である、撮像装置。
【請求項４】
請求項３に記載の撮像装置であって、
前記所定角度は、３０度である、撮像装置。
【請求項５】
請求項１ないし４のいずれか１項に記載の撮像装置であって、
前記第１の照明部及び前記第２の照明部は、非可視光を用いて照明する、撮像装置。
【請求項６】
請求項５に記載の撮像装置であって、
前記第１の照明部及び前記第２の照明部は、近赤外光を用いて照明するＬＥＤ照明器具を含む、撮像装置。
【請求項７】
請求項１ないし６のいずれか１項に記載の撮像装置であって、
前記照明制御部は、前記指示情報に係る前記レンズの画角と前記第１の照明部による照射角とが略一致するよう制御する、撮像装置。
【請求項８】
画像を撮像する撮像素子と、前記撮像素子の撮像面に被写体の光学像を結像させるレンズと、前記被写体に向かって照明する第１の照明部と、がドームカバーに包囲され、前記ドームカバーの外側に向かって照明する第２の照明部が前記ドームカバーの外側に設けられた撮像装置における照明制御方法であって、
前記レンズの画角を指示する指示情報を取得するステップと、
前記指示情報に係る前記レンズの画角が所定角度より大きい場合、前記第１の照明部を消灯し、前記第２の照明部を点灯するよう制御するステップと、
前記指示情報に係る前記レンズの画角が前記所定角度以下の場合、前記第１の照明部を点灯するよう制御するステップと、
前記指示情報に係る前記レンズの画角が前記所定角度以下の場合、前記指示情報に係る前記レンズの画角に基づいて、前記第１の照明部による照射角を制御するステップと、
を有する、照明制御方法。
【発明の詳細な説明】
【技術分野】
【０００１】
本発明は、撮像装置及び照明制御方法に関する。例えば、被写体を照明して撮像する撮像装置等に関する。
【背景技術】
【０００２】
従来、ドームカバーと照明装置とを備えるカメラ装置が知られている。カメラ装置が照明装置を備えることで、カメラ装置は、照明装置により照明された被写体の画像を撮像できる。
【０００３】
従来のカメラ装置として、以下の照明装置付きのドーム型監視カメラ装置が知られている（例えば、特許文献１参照）。このドーム型監視カメラ装置は、制御手段、カメラ本体、及びレンズユニットを備える。カメラ本体は、レンズユニットの駆動手段が内蔵され、筐体内に収容される。レンズユニットは、カメラ本体の下部に設けられ、ドームカバーによって保護され、駆動手段により水平方向及び垂直方向に回動される。このドーム型監視カメラ装置は、筐体の外周に複数の投光手段が実装された照明装置を設け、制御手段によりカメラの撮像方向に対応した投光手段を点灯する。
【先行技術文献】
【特許文献】
【０００４】
【特許文献１】特開２００５−３４７９１４号公報
【発明の概要】
【発明が解決しようとする課題】
【０００５】
特許文献１に記載されたドーム型監視カメラ装置では、ドーム型監視カメラ装置から被写体までの距離が変化すると、被写体の照明が不十分となり、ドーム型監視カメラ装置により撮像される画像が劣化することがあった。
【０００６】
本発明は、上記事情に鑑みてなされたものであり、撮像装置から被写体までの距離が変化しても被写体を照明でき、撮像画像の劣化を抑制できる撮像装置及び照明制御方法を提供する。
【課題を解決するための手段】
【０００７】
本発明の撮像装置は、画像を撮像する撮像素子と、前記撮像素子の撮像面に被写体の光学像を結像させるレンズと、前記被写体に向かって照明する第１の照明部と、を備える撮像ユニットと、前記撮像ユニットが設置された設置台と、前記設置台とともに、前記撮像ユニットを包囲するドームカバーと、前記設置台の周端部に配設され、前記設置台の外側に向かって照明する第２の照明部と、前記レンズの画角を指示する指示情報を取得する情報取得部と、前記指示情報に基づいて、前記第１の照明部による照射角を制御する照明制御部と、を備え、前記照明制御部は、前記指示情報に係る前記レンズの画角が所定角度より大きい場合、前記第１の照明部を消灯し、前記第２の照明部を点灯するよう制御し、前記指示情報に係る前記レンズの画角が前記所定角度以下の場合、前記第１の照明部を点灯するよう制御する。
【０００８】
本発明の照明制御方法は、画像を撮像する撮像素子と、前記撮像素子の撮像面に被写体の光学像を結像させるレンズと、前記被写体に向かって照明する第１の照明部と、がドームカバーに包囲され、前記ドームカバーの外側に向かって照明する第２の照明部が前記ドームカバーの外側に設けられた撮像装置における照明制御方法であって、前記レンズの画角を指示する指示情報を取得するステップと、前記指示情報に係る前記レンズの画角が所定角度より大きい場合、前記第１の照明部を消灯し、前記第２の照明部を点灯するよう制御するステップと、前記指示情報に係る前記レンズの画角が前記所定角度以下の場合、前記第１の照明部を点灯するよう制御するステップと、前記指示情報に係る前記レンズの画角が前記所定角度以下の場合、前記指示情報に係る前記レンズの画角に基づいて、前記第１の照明部による照射角を制御するステップと、を有する。
【発明の効果】
【０００９】
本発明によれば、撮像装置から被写体までの距離が変化しても被写体を照明でき、撮像画像の劣化を抑制できる撮像装置及び照明制御方法を提供する。
【図面の簡単な説明】
【００１０】
【図１】（Ａ）実施形態における側方から視た監視カメラの一部の概略構成例を示す模式図、（Ｂ）図１（Ａ）の矢印Ｅ−Ｅ線方向から視た監視カメラの一部の概略構成例を示す模式図
【図２】実施形態における側方から視たＰＴ機構部の概略構成例を示す模式図
【図３】実施形態における監視カメラの構成例を示すブロック図
【図４】実施形態における監視カメラによる照明動作手順の一例を示すフローチャート
【図５】（Ａ）実施形態における、望遠時にワイド照明部が消灯し、ズーム照明部を点灯し、ズームレンズの画角が所定角度以下である場合の照明光の一例を側方から示す模式図、（Ｂ）比較例における、望遠時にワイド照明部を消灯し、ズーム照明部１２３を点灯し、ズームレンズの画角が所定角度より大きい場合の照明光を側方から示す模式図
【図６】（Ａ）実施形態における、広角時にワイド照明部を点灯し、ズーム照明部を消灯する場合の照明光の一例を側方から示す模式図、（Ｂ）図６（Ａ）の照明光を上方から示す模式図
【図７】（Ａ），（Ｂ），（Ｃ）実施形態又は比較例における監視カメラにより撮像された画像の一例を示す模式図
【発明を実施するための形態】
【００１１】
以下、本発明の実施形態について、図面を用いて説明する。
【００１２】
（本発明の一形態を得るに至った経緯）
特許文献１に記載されたドーム型監視カメラ装置では、筐体の外周に照明装置が設けられ、照明装置が広角で拡散した光を被写体に照明する。ドーム型監視カメラ装置が、ズーム（望遠）機能を利用して遠くの被写体を撮像する場合、ドーム型監視カメラ装置から被写体までの距離が長くなる。この場合、拡散した上記照明装置による照明光では、十分に被写体を照明することが困難であり、撮像画像が劣化することがあった。
【００１３】
また、仮に、ドーム型監視カメラ装置が、ズーム照明機能を備えた場合でも、ズームの程度や撮像方向によっては、ドームカバーにおいてズーム照明の照明光が反射し、撮像画像が劣化すると推測される。
【００１４】
以下、撮像装置から被写体までの距離が変化しても被写体を照明でき、撮像画像の劣化を抑制できる撮像装置及び照明制御方法について説明する。
【００１５】
以下の実施形態の撮像装置は、例えば、被写体を照明可能なドーム型の監視カメラ装置に適用される。
【００１６】
（実施形態）
図１（Ａ）は、側方から視た監視カメラ１０の一部（例えば主要部）の概略構成例を示す模式図である。図１（Ｂ）は、図１（Ａ）の矢印Ｅ−Ｅ線方向から視た監視カメラ１０の一部（例えば主要部）の概略構成例を示す模式図である。監視カメラ１０は、撮像装置の一例である。
【００１７】
監視カメラ１０は、例えばＰＴＺ機能を有する。ＰＴＺ機能とは、カメラが、パン（Ｐ）方向及びチルト（Ｔ）方向に旋回自在であり、かつ、ズーム（Ｚ）機能を有することを指す。監視カメラ１０では、ＰＴＺ機能の一部の機能が省略されてもよい。
【００１８】
監視カメラ１０は、ドームカバー１５、撮像ユニット２０、カメラ設置台３０、及びＰＴ機構部３５（図２参照）を有する。
【００１９】
ドームカバー１５は、カメラ設置台３０に係合され、撮像ユニット２０やＰＴ機構部３５（図２参照）を包囲する。これにより、撮像ユニット２０やＰＴ機構部３５がドームカバー１５の外側から隔離され、撮像ユニット２０を高速回転でき、監視カメラ１０の防水性、防塵性、耐衝撃性（バンダル性）を向上できる。ドームカバー１５は、例えば、透明で耐衝撃性に優れたポリカーボネートを含んで形成される。
【００２０】
撮像ユニット２０は、ズームレンズ２２、ズーム照明部２３、及び撮像部２５を有する。
【００２１】
ズームレンズ２２は、撮像部２５に入射される光を集光し、レンズ倍率（ズーム倍率）に対応するズームレンズの画角α（図５（Ａ）参照）を可変自在なレンズである。レンズ倍が定まると、ズームレンズ２２の画角α（レンズ画角α）が定まる。ズームレンズ２２は、例えば、広角（ワイド）側（例えばレンズ画角６０度）から望遠（テレ）側（例えばレンズ画角３度）まで可変し、被写体を撮像可能な撮像範囲を可変する。ズームレンズ２２のズーム倍率は、例えば２０倍まで可能である。
【００２２】
ズーム照明部２３は、ズームレンズ２２と連動して被写体を照明（ズーム照明）する。ズーム照明の照射角β（図５（Ａ）参照）は、可変自在である。ズーム照明部２３は、第１の照明部の一例である。
【００２３】
ズーム照明部２３は、照射角βが小さい程、照明面積が小さくなり、照明密度が高くなり、遠距離を狭い範囲で光照射できる。ズーム照明部２３は、照射角βが大きい程、照明面積が大きくなり、照明密度が低くなり、近距離を広い範囲で光照射できる。
【００２４】
照射角βは、例えば、ＰＣ６０から指示されたレンズ画角αと略等しくなるように制御される。この場合、例えば望遠時に被写体を確実に照明でき、監視カメラ１０の制御を単純化できる。また、照明量を低減でき、第三者のプライバシーも保護できる。
【００２５】
ズーム照明部２３は、例えば、赤外光（ＩＲ：ＩｎｆｒａＲｅｄ）（例えば近赤外光）を照明し、ＩＲ照明用のＬＥＤ（Ｌｉｇｈｔ  Ｅｍｉｔｔｉｎｇ  Ｄｉｏｄｅ）照明器具を含む。本実施形態では、赤外光として近赤外光を主に例示する。
【００２６】
撮像部２５は、撮像素子２６、赤外カットフィルタ２７、及び透明フィルタ２８を有する（図３参照）。
【００２７】
撮像素子２６は、ズームレンズ２２により被写体からの光を集光し、撮像面に結像した光学像を電気信号に変換する。撮像素子２６は、例えば、固体撮像素子であり、ＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ、を含む。
【００２８】
赤外カットフィルタ２７は、撮像素子２６の入射側に配置され、近赤外線光の透過を制限し、可視光を透過させる。透明フィルタ２８は、撮像素子２６の入射側に配置され、近赤外光及び可視光を透過させる。赤外カットフィルタ２７及び透明フィルタ２８は、いずれかが撮像素子２６の入射側に配置されるように、例えば制御部５５により切り替えられる。
【００２９】
カメラ設置台３０は、例えば、ドームカバー１５が係合される円筒形の筐体を有する。筐体の内部には、例えば、ＰＴ機構部３５の一部、制御基板が収容される。カメラ設置台３０の周端部には、複数（例えば８個）のワイド照明部５１Ａ，５１Ｂ，５１Ｃ，・・・が設けられる。尚、ワイド照明部５１Ａ，５１Ｂ，５１Ｃ，・・・を個々に区別する必要が無い場合、単に「ワイド照明部５１」と称する。ワイド照明部は、第２の照明部の一例である。
【００３０】
各ワイド照明部５１は、図１（Ｂ）に示すように、例えば、監視カメラ１０の中心からカメラ設置台３０の周端部（例えば図１（Ａ）の符号３１）に沿って放射状に配置される。また、ワイド照明部５１は、例えば、近赤外光を発するＩＲ照明用のＬＥＤ照明器具を含む。
【００３１】
図２は、側方から視たＰＴ機構部３５の概略構成例を示す模式図である。ＰＴ機構部３５は、撮像ユニット２０をパン方向及びチルト方向の少なくとも一方に駆動する。ＰＴ機構部３５は、例えば、複数の部材によって構成される。ＰＴ機構部３５は、回転機構の一例である。
【００３２】
カメラ設置台３０には、例えば、ＰＴ機構部３５の一部材である回転軸４８が回転自在に取り付けられる。例えば、回転軸４８に軸支されたギア４６をパンモータ４１が駆動することによって、連結部材４５を介して回転軸４８に連結された撮像ユニット２０は、パン方向に回転する。例えば、連結部材４５に回転自在に軸支されたギア４４をチルトモータ４２が駆動することによって、ギア４４に固定された撮像ユニット２０は、チルト方向に傾斜する。
【００３３】
図３は、監視カメラ１０及びＰＣ（Ｐｅｒｓｏｎａｌ  Ｃｏｍｐｕｔｅｒ）６０の構成例を示すブロック図である。監視カメラ１０は、例えば、ズームレンズ２２、ズーム照明部２３、撮像部２５、ＰＴ機構部３５、ワイド照明部５１（５１Ａ，５１Ｂ，５１Ｃ，５１Ｄ，５１Ｅ，５１Ｆ）、信号処理部５３、Ｉ／Ｆ（Ｉｎｔｅｒｆａｃｅ）部５４、制御部５５、及び照明制御部５８を有する。監視カメラ１０は、コントローラとしてのＰＣ６０に接続される。
【００３４】
尚、図３では、図１、図２等を用いて説明した監視カメラ１０の構成部については、説明を省略又は簡略化する。
【００３５】
信号処理部５３は、撮像素子２６から出力される撮像信号に対し、各種のデジタル処理を行い、処理後の画像データを出力する。
【００３６】
Ｉ／Ｆ部５４は、監視カメラ１０とＰＣ６０との間を無線又は有線により接続し、例えば、画像データや制御信号を通信する。
【００３７】
制御部５５は、例えば、ズームレンズ２２の位置に基づいて、レンズ画角αを認識（検出）する。制御部５５は、ＰＴ機構部３５のパン方向の位置に基づいて、パン角度を認識（検出）する。パン角度は、パン方向における基準位置に対する位置を示す。制御部５５は、ＰＴ機構部３５のチルト方向の位置に基づいて、チルト角度を認識（検出）する。チルト角度は、チルト方向における基準位置に対する位置を示す。パン角度及びチルト角度は、回転角の一例である。
【００３８】
制御部５５は、例えばＰＣ６０からの指示情報に基づいて、ズームレンズ２２を駆動し、レンズ画角αを制御する。制御部５５は、例えば、検出されるレンズ画角を指示されたレンズ画角αに一致するよう制御する。
【００３９】
制御部５５は、例えばＰＣ６０からの指示情報に基づいて、ＰＴ機構部３５を駆動し、撮像ユニット２０をパン方向及びチルト方向の少なくとも一方に回動させる。制御部５５は、例えば、検出されるパン角度が指示されたパン角度に一致し、検出されるチルト角度が指示されたチルト角度に一致するよう制御する。
【００４０】
制御部５５は、例えば、検出された又は指示されたズーム倍率の情報、並びに、検出された又は指示されたパン角度及びチルト角度の少なくとも一方の情報、を照明制御部５８に出力する。制御部５５は、例えば、照明制御部５８に対して点灯又は消灯を指示する。
【００４１】
照明制御部５８は、制御部５５からの指示に従い、レンズ画角αに基づいて、ズーム照明部２３及びワイド照明部５１を点灯又は消灯するよう制御する。照明制御部５８は、指示されたレンズ画角αに基づいて、ズーム照明部２３による照射角βを制御する。
【００４２】
照明制御部５８は、例えば、指示されたレンズ画角αに基づいて、ワイド照明及びズーム照明を切り替える。
【００４３】
例えば、照明制御部５８は、指示されたレンズ画角αが所定角度（例えば３０度）より大きい場合、ズーム照明部２３を消灯し、ワイド照明部５１を点灯するよう制御し、レンズ画角αが所定角度以下の場合、ズーム照明部２３を点灯するよう制御する。
【００４４】
例えば、照明制御部５８は、指示されたレンズ画角αが３度〜３０度の場合、ワイド照明を点灯し、ズーム照明を消灯し、指示されたレンズ画角αが３０度〜６０度の場合、ズーム照明を点灯するよう制御する。
【００４５】
ＰＣ６０は、Ｉ／Ｆ部６１、表示部６３、制御部６５、及び操作部６８を有する。
【００４６】
Ｉ／Ｆ部６１は、監視カメラ１０とＰＣ６０との間を無線又は有線により接続し、例えば、画像データや制御信号を通信する。Ｉ／Ｆ部６１は、例えば、監視カメラ１０から撮像画像を受信し、監視カメラ１０へ各種指示の情報を送る。各種指示は、例えば、ＰＴ機構部３５をパン方向及びチルト方向の少なくとも一方に駆動する指示、レンズ画角αを変更する指示、を含む。
【００４７】
表示部６３は、監視カメラ１０から受信されたデータ（例えば撮像画像）を表示する。
【００４８】
制御部６５は、例えば、操作部６８により受け付けられた各種操作に従って、監視カメラ１０への指示情報（例えばズーム倍率、パン角度、チルト角度を指示する情報）を生成する。
【００４９】
操作部６８は、例えば、各種ボタン、キー、タッチパネルを含み、操作者による操作を受け付ける。
【００５０】
次に、監視カメラ１０の動作例について説明する。
【００５１】
監視カメラ１０は、例えば、明るい環境（例えば昼間）では、赤外カットフィルタ２７を使用して、被写体からの非可視光（例えば近赤外光）を遮断して可視光を受光し、画像（カラー画像）を撮像する。
【００５２】
監視カメラ１０は、例えば、やや暗い環境（例えば夕暮れ）では、透明フィルタ２８を使用して、被写体からの近赤外光を可視光とともに受光し、画像（モノクロ画像）を撮像する。
【００５３】
監視カメラ１０は、例えば、暗い環境（例えば夜間）では、ズーム照明部２３又はワイド照明部５１により近赤外光を照明して、透明フィルタ２８を使用して、被写体からの近赤外光を受光し、画像（モノクロ画像）を撮像する。
【００５４】
図４は、監視カメラ１０による照明動作手順の一例を示すフローチャートである。
【００５５】
まず、制御部５５は、監視カメラ１０が設置されている環境が、照明光を必要とする環境（例えば夜間）であるか否かを判別する（Ｓ１）。例えば、制御部５５は、照度センサを有し、照度センサが監視カメラ１０の設置環境の明るさを測定することで、照明光が必要か否かを判定してもよい。例えば、制御部５５は、計時部を有し、監視カメラ１０の設置環境において明るい時間帯と暗い時間帯とが予め決まっている場合、計時部により計時された現在時刻に基づいて、照明光が必要か否かを判定してもよい。
【００５６】
Ｓ１において、照明光を必要とする場合、制御部５５は、Ｉ／Ｆ部５４を介してＰＣ６０からのレンズ画角αの指示情報を取得する（Ｓ２）。尚、制御部５５は、ズーム倍率の指示情報を取得し、レンズ画角αの指示情報に変換してもよい。
【００５７】
制御部５５は、指示されたレンズ画角αが所定角度以下であるか否かを判別する（Ｓ３）。
【００５８】
この所定角度は、例えば、ズームレンズ２２、ズーム照明部２３、及びドームカバー１５の位置関係によって定まる値である。この所定角度は、例えば、レンズ画角αが当該所定角度より大きくなると、ズーム照明部２３により出射されドームカバー１５の内側で反射された光が、ズームレンズ２２に入射される角度である。この所定角度は、例えば、３０度である。
【００５９】
Ｓ３において、指示されたレンズ画角αが所定角度以下である場合、つまり望遠（テレ）である場合、照明制御部５８は、ズーム照明部２３を点灯し、ワイド照明部５１を消灯するよう制御する（Ｓ４）。また、照明制御部５８は、制御部５５からレンズ画角αの指示情報を取得し、指示されたレンズ画角αに連動するように、ズーム照明部２３による照射角を決定する。尚、Ｓ４では、照明制御部５８は、ワイド照明部５１を消灯することを例示したが、ワイド照明部５１の少なくとも一部を点灯させてもよい。この後、監視カメラ１０は、撮像部２５が被写体の画像を撮像し、本動作を終了する。
【００６０】
Ｓ３において、指示されたレンズ画角αが所定角度より大きい場合、つまり広角（ワイド）である場合、照明制御部５８は、制御部５５から、ＰＴ機構部３５を制御する際に用いられるパン角度及びチルト角度の少なくとも一方の指示情報を取得する（Ｓ５）。
【００６１】
照明制御部５８は、指示されたパン角度及びチルト角度の少なくとも一方に基づいて、ワイド照明部５１の一部を点灯し、ワイド照明部５１のその他の部分を消灯する（Ｓ６）。
【００６２】
例えば、照明制御部５８は、ＰＴ機構部３５によって駆動される撮像ユニット２０が向いている方向に位置する、ワイド照明部５１を点灯させ、撮像ユニット２０が向いていない方向に位置する、ワイド照明部５１を消灯させる。尚、照明制御部５８は、全てのワイド照明部５１を点灯させてもよい。この後、監視カメラ１０は、撮像部２５が被写体の画像を撮像し、本動作を終了する。
【００６３】
Ｓ１において、照明光を必要としない場合、照明制御部５８は、ズーム照明部２３及びワイド照明部５１を消灯させる（Ｓ７）。この後、監視カメラ１０は、撮像部２５が被写体の画像を撮像し、本動作を終了する。
【００６４】
次に、ワイド照明部５１及びズーム照明部２３による照明光について説明する。
【００６５】
図５（Ａ）は、望遠時にワイド照明部５１を消灯し、ズーム照明部２３を点灯し、指示されたレンズ画角αが所定角度以下である場合の照明光の一例を側方から示す模式図である。
【００６６】
図５（Ａ）では、指示されたレンズ画角αは、所定角度（例えば３０度）以下である。この場合、照射角βは、例えば、上記所定角度（例えば３０度）以下である。ズーム照明部２３から発せられた照明光ｚのうちの一部の照明光ｚ１は、ドームカバー１５を透過して被写体を照明する。照明光ｚのうちの一部の照明光ｚ２は、ドームカバー１５の内面（内側の境界面）で反射され、ズームレンズ２２の前面にほぼ入射されない。照明光ｚのうちの一部の照明光ｚ３は、ドームカバー１５の外面（外側の境界面）で反射され、ズームレンズ２２の前面にほぼ入射されない。
【００６７】
従って、ズームレンズ２２を通して撮像部２５に入射される光に、照明光ｚがほぼ含まれない。そのため、後述するように、撮像素子２６によって撮像される画像にゴースト（被写体以外の像）が発生することを抑制できる（例えば、図７（Ｂ）、（Ｃ）参照）。
【００６８】
図５（Ｂ）は、比較例として、望遠時にワイド照明部１５１を消灯し、ズーム照明部１２３を点灯し、指示されたズームレンズ１２２の画角（レンズ画角γ）が所定角度より大きい場合の照明光を側方から示す模式図である。
【００６９】
比較例としての図５（Ｂ）では、指示されたレンズ画角γが所定角度（例えば３０度）より大きい場合でも、ズーム照明が行われることを想定する。この場合、ズーム照明部１２３による照射角δは、例えば、上記所定角度（例えば３０度）より大きい。
【００７０】
ズーム照明部１２３から発せられた照明光ｙのうちの一部の照明光ｙ１は、ドームカバー１１５を透過して被写体を照明する。照明光ｙのうちの一部の照明光ｙ２は、ドームカバー１１５の内面で反射され、ズームレンズ１２２の前面に入射される。照明光ｙのうちの一部の照明光ｙ３は、ドームカバー１１５の外面で反射され、ズームレンズ１２２の前面に入射される。
【００７１】
従って、ズームレンズ１２２を通して撮像部１２５に入射される光に、照明光ｙが含まれる。そのため、後述するように、撮像部１２５が有する撮像素子によって撮像される画像に、ゴーストが発生する（図７（Ａ）参照）。
【００７２】
図６（Ａ）は、広角時にワイド照明部５１を点灯し、ズーム照明部２３を消灯する場合の照明光の一例を側方から示す模式図である。図６（Ｂ）は、図６（Ａ）の照明光を上方から示す模式図である。
【００７３】
図６（Ａ）では、指示されたレンズ画角αが所定角度（３０度）より大きく、ワイド照明が行われることを想定する。ワイド照明部５１は、例えば、カメラ設置台３０のドームカバー１５側の周端部に、ドームカバー１５の回転軸４８を中心として放射状に複数配設される。
【００７４】
図６（Ａ）では、照明制御部５８は、例えば、ワイド照明部５１Ａ〜５１Ｈのうち、撮像ユニット２０の指示されたパン角度に対応するワイド照明部５１Ａを点灯させ、その他のワイド照明部５１Ｂ〜５１Ｇを消灯させる。
【００７５】
尚、照明制御部５８は、指示されたパン角度に対応する１つのワイド照明部５１を点灯させてもよいし、このワイド照明部５１を含む近隣のワイド照明部５１を点灯させてもよい。これにより、被写体に照明される照明光の光量を増大できる。
【００７６】
ワイド照明部５１から発せられた照明光ｕは、ドームカバー１５の外側から、ドームカバー１５の外側に存在する被写体に向かう。従って、照明光ｕは、ドームカバー１５により反射されず、撮像部２５に入射されない。
【００７７】
尚、各ワイド照明部５１による照射方向は、ドームカバー１５側（図中下方）に傾斜していてもよい。この場合、撮像ユニット２０がチルト方向に回転されなくても、ドームカバー１５側を効率良く照明できる。
【００７８】
図７（Ａ）〜（Ｃ）は、本実施形態又は比較例の撮像画像の一例を示す模式図である。図７（Ａ）〜（Ｃ）に示す画像は、２つのＬＥＤ照明器具を内蔵する２灯式のズーム照明部２３，１２３が用いられ、撮像された画像である。
【００７９】
図７（Ａ）は、ズーム倍率１倍（レンズ画角６０度）の撮像画像を示す。図７（Ａ）では、図５（Ｂ）と同様に、レンズ画角αが６０度と広角であるにも関わらず、比較例におけるズーム照明部１２３を点灯させている。
【００８０】
図７（Ａ）を参照すると、撮像画像に２つのゴーストｇ１，ｇ２が発生していることが理解できる。ゴーストｇ１，ｇ２は、例えば、２灯式のズーム照明部１２３によって照明され、ドームカバー１５により反射された光が、ズームレンズ２２に入射し、撮像画像として映り込むことで発生する。
【００８１】
図７（Ｂ）は、ズーム倍率２倍（レンズ画角３０度）の撮像画像を示す。図７（Ｃ）は、ズーム倍率３倍（レンズ画角２０度）の撮像画像を示す。図７（Ｂ），（Ｃ）では、図５（Ａ）と同様に、本実施形態におけるズーム照明部２３を点灯させている。
【００８２】
図７（Ｂ），（Ｃ）を参照すると、レンズ画角３０度とレンズ画角２０度の撮像画像には、ゴーストが発生しておらず、ズーム照明部２３によって照明された光がズームレンズ２２に入射されていないことが理解できる。
【００８３】
監視カメラ１０によれば、監視カメラ１０から被写体までの距離が変化しても被写体を照明でき、撮像画像の劣化を抑制できる。例えば、監視カメラ１０から被写体までの距離が長い望遠時においても、監視カメラ１０から被写体までの距離が短い広角時においても、被写体を十分に照明して画像を撮像できる。
【００８４】
また、指示されたレンズ画角αが所定角度より大きい場合、照明制御部５８が、ズーム照明部２３を消灯し、カメラ設置台３０の周端部に配設されたワイド照明部５１を点灯させるので、監視カメラ１０は、撮像画像にゴーストが発生することを抑制できる。
【００８５】
また、ワイド照明部５１が、撮像ユニット２０の回転位置に合わせた方向に照明し、他の方向に照明しないことで、監視カメラ１０は、省電力化を実現できる。
【００８６】
また、指示されたレンズ画角αが所定角度以下の場合、ドームカバー１５の内側に反射した光がズームレンズ２２に入射されないので、監視カメラ１０は、撮像画像にゴーストが発生することを抑制できる。
【００８７】
また、非可視光（例えば近赤外光）を発するズーム照明部２３及びワイド照明部５１を用いることで、被写体として例えば人物を照明しても、当該人物に画像の撮像が気付かれ難くなる。また、ＬＥＤ照明器具を用いることで、監視カメラ１０は、消費電力を低減し、省電力化を図れる。
【００８８】
また、照明制御部５８が、指示されたレンズ画角αと照射角βとが略一致するように制御することで、監視カメラ１０は、例えば望遠時に被写体を確実に照明でき、監視カメラ１０の制御を単純化できる。また、照明量を低減でき、第三者のプライバシーも保護できる。
【００８９】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９０】
上記実施形態では、ズーム照明及びワイド照明に用いられる光として、非可視光（例えば近赤外光）を例示したが、可視光を用いてもよい。非可視光を用いることで、防犯性を向上できる。
【００９１】
上記実施形態では、ズームレンズ２２、撮像部２５、及びズーム照明部２３は、撮像ユニット２０として一体化され、ＰＴ機構部３５によって、指示されたパン方向及びチルト方向の少なくとも一方に駆動されることを例示した。これに限られず、撮像部２５を除くズームレンズ２２及びズーム照明部２３が、指示されたパン方向及びチルト方向の少なくとも一方に駆動されてもよい。
【００９２】
また、本実施形態では、監視カメラ１０とＰＣ６０とにより撮像システムを構成することを例示したが、ＰＣ６０の機能を監視カメラ１０が有し、ＰＣ６０が省略されてもよい。例えば、監視カメラ１０が各種センサを有し、センサの検出情報からレンズ画角α、パン角度、チルト角度の指示情報を生成してもよい。監視カメラ１０は、生成された指示情報に基づいて動作してもよい。
【００９３】
（本発明の一態様の概要）
本発明の一態様の撮像装置は、画像を撮像する撮像素子と、前記撮像素子の撮像面に被写体の光学像を結像させるレンズと、前記被写体に向かって照明する第１の照明部と、を備える撮像ユニットと、前記撮像ユニットが設置された設置台と、前記設置台とともに、前記撮像ユニットを包囲するドームカバーと、前記設置台の周端部に配設され、前記設置台の外側に向かって照明する第２の照明部と、前記レンズの画角を指示する指示情報を取得する情報取得部と、前記指示情報に基づいて、前記第１の照明部による照射角を制御する照明制御部と、を備え、前記照明制御部は、前記指示情報に係る前記レンズの画角が所定角度より大きい場合、前記第１の照明部を消灯し、前記第２の照明部を点灯するよう制御し、前記指示情報に係る前記レンズの画角が前記所定角度以下の場合、前記第１の照明部を点灯するよう制御する。
【００９４】
この構成によれば、撮像装置から被写体までの距離が変化しても被写体を照明でき、撮像画像の劣化を抑制できる。例えば、撮像装置から被写体までの距離が長い望遠時においても、撮像装置から被写体までの距離が短い広角時においても、被写体を十分に照明して画像を撮像できる。
【００９５】
本発明の一態様の撮像装置は、前記撮像ユニットを回転させる回転機構を備え、前記第２の照明部が、前記設置台の周端部に沿って放射状に複数配設され、前記照明制御部が、前記指示情報に係る前記レンズの画角が所定角度より大きい場合、前記回転機構の回転角に基づいて、複数の前記第２の照明部の一部を点灯し、前記第２の照明部の他の一部を消灯するよう制御する。
【００９６】
この構成によれば、被写体の照明効率が向上し、撮像装置を省電力化できる。また、例えば、ターゲット以外の被写体へ照明を照射せずに撮像できるので、ターゲット以外の第三者のプライバシーを保護できる。
【００９７】
本発明の一態様の撮像装置は、前記所定角度が、前記レンズの画角が前記所定角度より大きい場合、前記第１の照明部により出射されて前記ドームカバーにより反射された光が、前記レンズに入射される角度である。
【００９８】
この構成によれば、第１の照明部からの照明光に起因するゴーストの発生を抑制でき、撮像画像の劣化を抑制できる。
【００９９】
本発明の一態様の撮像装置は、前記所定角度が、３０度である。
【０１００】
この構成によれば、第１の照明部からの照明光に起因するゴーストの発生を抑制でき、撮像画像の劣化を抑制できる。
【０１０１】
本発明の一態様の撮像装置は、前記第１の照明部及び前記第２の照明部が、非可視光を用いて照明する。
【０１０２】
この構成によれば、被写体としての人物に認識されることなく、被写体を照明でき、撮像画像の画質を向上できる。また、防犯性を向上でき、撮像装置を用いた監視性能を向上できる。
【０１０３】
本発明の一態様の撮像装置は、前記第１の照明部及び前記第２の照明部が、近赤外光を用いて照明するＬＥＤ照明器具を含む。
【０１０４】
この構成によれば、前記第１の照明部及び前記第２の照明部を低コスト化できる。また、防犯性を向上でき、撮像装置を用いた監視性能を向上できる。
【０１０５】
本発明の一態様の撮像装置は、前記照明制御部が、前記指示情報に係る前記レンズの画角と前記第１の照明部による照射角とが略一致するよう制御する。
【０１０６】
この構成によれば、被写体の照明効率が向上し、撮像装置を省電力化できる。また、例えば、ターゲット以外の被写体へ照明を照射せずに撮像できるので、ターゲット以外の第三者のプライバシーを保護できる。
【０１０７】
本発明の一態様の照明制御方法は、画像を撮像する撮像素子と、前記撮像素子の撮像面に被写体の光学像を結像させるレンズと、前記被写体に向かって照明する第１の照明部と、がドームカバーに包囲され、前記ドームカバーの外側に向かって照明する第２の照明部が前記ドームカバーの外側に設けられた撮像装置における照明制御方法であって、前記レンズの画角を指示する指示情報を取得するステップと、前記指示情報に係る前記レンズの画角が所定角度より大きい場合、前記第１の照明部を消灯し、前記第２の照明部を点灯するよう制御するステップと、前記指示情報に係る前記レンズの画角が前記所定角度以下の場合、前記第１の照明部を点灯するよう制御するステップと、前記指示情報に係る前記レンズの画角が前記所定角度以下の場合、前記指示情報に係る前記レンズの画角に基づいて、前記第１の照明部による照射角を制御するステップと、を有する。
【０１０８】
この方法によれば、撮像装置から被写体までの距離が変化しても被写体を照明でき、撮像画像の劣化を抑制できる。例えば、撮像装置から被写体までの距離が長い望遠時においても、撮像装置から被写体までの距離が短い広角時においても、被写体を十分に照明して画像を撮像できる。
【産業上の利用可能性】
【０１０９】
本発明は、撮像装置から被写体までの距離が変化しても被写体を照明でき、撮像画像の劣化を抑制できる撮像装置及び照明制御方法等に有用である。
【符号の説明】
【０１１０】
１０  監視カメラ
１５  ドームカバー
２０  撮像ユニット
２２  ズームレンズ
２３  ズーム照明部
２５  撮像部
２６  撮像素子
２７  赤外カットフィルタ
２８  透明フィルタ
３０  カメラ設置台
３５  ＰＴ機構部
４１  パンモータ
４２  チルトモータ
４４，４６  ギア
４５  連結部材
４８  回転軸
５１，５１Ａ，５１Ｂ，５１Ｃ，５１Ｄ，５１Ｅ，５１Ｆ，５１Ｇ，５１Ｈ  ワイド照明部
５３  信号処理部
５４，６１  Ｉ／Ｆ部
５５，６５  制御部
６０  ＰＣ
６３  表示部
６８  操作部
【図１】
2016066947.tif 000003
【図２】
2016066947.tif 000004
【図３】
2016066947.tif 000005
【図４】
2016066947.tif 000006
【図５】
2016066947.tif 000007
【図６】
2016066947.tif 000008
【図７】
2016066947.tif 000009